(57)【要約】【課題】ライセンスプレートを確実に固定するとともに外観性の向上を図ることができる簡易なライセンスプレートの取付構造を提供する。【解決手段】ボルト２３をボルト穴４５に挿入し、取付部１４のフェイス裏面２５に溶接されているナット４６に締め付ける。これにより、ライセンスプレート２１がバンパーフェイス１０に確実に固定される。ライセンスプレート２１の下部も保持クリップ１７により押さえられているので、ライセンスプレート２１に矢印（７）のように外力が加えられても、ライセンスプレート２１はしっかりと固定された状態を維持することができる。【効果】ボルトを締結した状態において、ライセンスプレートをバンパーフェイスから離間する方向に引いても、掛け止めフックがバンパーフェイスの裏面に引っ掛かるので、保持クリップがバンパーフェイスから外れない。【選択図】図６
2011084142.tif 000002
【特許請求の範囲】
【請求項１】
バンパーフェイスにライセンスプレートを取り付けるようにしたライセンスプレート取付構造において、
前記バンパーフェイスに前記ライセンスプレートの縁を保持するための保持クリップと、前記バンパーフェイスに前記ライセンスプレートを取り付けるためのボルトとを有し、
前記保持クリップは、プレート保持部と、掛け止めフックとからなり、
前記プレート保持部は、前記バンパーフェイスのフェイス面に重ねられるとともに、一部が前記ライセンスプレートの背面側から表面側へ折り返されるように、側面視略Ｊ字状に形成されることで、前記ライセンスプレートの縁を保持することが可能な構成であり、
前記掛け止めフックは、前記プレート保持部の背面に側面視略Ｌ字状に形成されることで、前記バンパーフェイスに形成された挿入孔に挿入して、フェイス裏面に引っ掛けることが可能な構成であり、
前記掛け止めフックの掛け止め方向は、前記バンパーフェイスに前記ライセンスプレートを前記ボルトによって取り付ける位置から離反する方向である、ことを特徴とするライセンスプレート取付構造。
【請求項２】
前記プレート保持部におけるＪ字の開放方向に対して、前記掛け止めフックの掛け止め方向は逆向きであり、
前記挿入孔の縁に対する前記掛け止めフックの掛け止め深さは、前記プレート保持部におけるＪ字の底から前記ライセンスプレートの縁までの隙間よりも大きく設定されていることを特徴とする請求項１記載のライセンスプレート取付構造。
【請求項３】
前記プレート保持部は、背面から前記フェイス面へ向かって突出した仮固定用凸部を有しており、
この仮固定用凸部は、前記挿入孔において、前記掛け止めフックが引っ掛けられる縁とは反対側の縁に、圧入によって仮止めされるものであり、
この反対側の縁に対する、前記仮固定用凸部の仮止め力の大きさは、前記フェイス面に対して前記プレート保持部を引張ることによって、仮止め状態が解除される大きさに設定されていることを特徴とする請求項１又は請求項２記載のライセンスプレート取付構造。
【発明の詳細な説明】
【技術分野】
【０００１】
本発明は、例えば自動車のバンパーフェイスにライセンスプレートを取り付けるライセンスプレートの取付構造に関する。
【背景技術】
【０００２】
従来のライセンスプレートの取付構造として、ボルトによってライセンスプレートをバンパーフェイスに取り付けたものが知られている（例えば、特許文献１（図３、図５）参照。）。
【０００３】
特許文献１の図３に示されるように、バンパーフェイス（１）（括弧付き数字は特許文献１に記載されている符号を示す。以下同じ。）は、ライセンスプレート取付面（２）の一部を打ち抜いて成形したベース部（６）が車幅方向に２ヵ所設けられている。ベース部（６）は、ヒンジ部（６ａ）からライセンスプレート取付面（２）の裏側に折り曲げられ、端部（６ｄ）にＵ字状のスプリングナット（４）が差し込まれている。
【０００４】
そして、特許文献１の図５に示されるように、ボルト（３）をライセンスプレート（１０）上部の取付穴（１０ａ）に挿通してスプリングナット（４）に締め付けることで、ライセンスプレート（１０）がバンパーフェイス（１）に取り付けられる。
取付点が、車幅方向でライセンスプレート（１０）の上部に２点あるので、欧州等で採用されている縦幅が小さいライセンスプレートには対応することができる。
【０００５】
しかし、日本で採用されている縦幅が大きいライセンスプレートに関しては、上下を取り付ける方が好ましい場合もある。
そこで、図７（ａ）に示されるように、縦幅が大きいライセンスプレート１０１を車両のリヤ側に取り付ける場合、ライセンスプレート１０１の下部をバンパーフェイス１０２に一体成形したクリップ１０３で保持し、ライセンスプレート１０１の上部をボルト１０４によってバンパーフェイス１０２に固定する。
【０００６】
一方、縦幅が大きいライセンスプレート１０５を取り付ける場合は、（ｂ）に示されるように、クリップ１０３はバンパーフェイス１０２に一体成形されているので、露出してしまう。外観性をより向上させるため、（ｃ）に示されるように、バンパーフェイス１０２にガーニッシュ１０６を取り付けて、このガーニッシュ１０２に縦幅が小さいライセンスプレート１０５を取り付ける方法もある。しかし、これでは部品コストや加工コストが増大する。
【先行技術文献】
【特許文献】
【０００７】
【特許文献１】特開２００５−１１９３４５公報
【発明の概要】
【発明が解決しようとする課題】
【０００８】
本発明は、ライセンスプレートを確実に固定するとともに外観性の向上を図ることができる簡易なライセンスプレートの取付構造を提供することを課題とする。
【課題を解決するための手段】
【０００９】
請求項１に係る発明は、バンパーフェイスにライセンスプレートを取り付けるようにしたライセンスプレート取付構造において、前記バンパーフェイスに前記ライセンスプレートの縁を保持するための保持クリップと、前記バンパーフェイスに前記ライセンスプレートを取り付けるためのボルトとを有し、前記保持クリップは、プレート保持部と、掛け止めフックとからなり、前記プレート保持部は、前記バンパーフェイスのフェイス面に重ねられるとともに、一部が前記ライセンスプレートの背面側から表面側へ折り返されるように、側面視略Ｊ字状に形成されることで、前記ライセンスプレートの縁を保持することが可能な構成であり、前記掛け止めフックは、前記プレート保持部の背面に側面視略Ｌ字状に形成されることで、前記バンパーフェイスに形成された挿入孔に挿入して、フェイス裏面に引っ掛けることが可能な構成であり、前記掛け止めフックの掛け止め方向は、前記バンパーフェイスに前記ライセンスプレートを前記ボルトによって取り付ける位置から離反する方向である、ことを特徴とする。
【００１０】
請求項２に係る発明では、プレート保持部におけるＪ字の開放方向に対して、掛け止めフックの掛け止め方向は逆向きであり、挿入孔の縁に対する掛け止めフックの掛け止め深さは、プレート保持部におけるＪ字の底からライセンスプレートの縁までの隙間よりも大きく設定されていることを特徴とする。
【００１１】
請求項３に係る発明では、プレート保持部は、背面からフェイス面へ向かって突出した仮固定用凸部を有しており、この仮固定用凸部は、挿入孔において、掛け止めフックが引っ掛けられる縁とは反対側の縁に、圧入によって仮止めされるものであり、この反対側の縁に対する、仮固定用凸部の仮止め力の大きさは、フェイス面に対してプレート保持部を引張ることによって、仮止め状態が解除される大きさに設定されていることを特徴とする。
【発明の効果】
【００１２】
請求項１に係る発明は、プレート保持部は、ライセンスプレートの背面側から表面側へ折り返されるように側面視略Ｊ字状に形成され、ライセンスプレートの縁を保持しており、掛け止めフックは、プレート保持部の背面に側面視略Ｌ字状に形成され、バンパーフェイスに形成された挿入孔に挿入される。ボルトを締結した状態において、ライセンスプレートをバンパーフェイスから離間する方向に引いても、掛け止めフックがバンパーフェイスの裏面に引っ掛かるので、保持クリップがバンパーフェイスから外れない。結果、ライセンスプレートをバンパーフェイスに確実に固定することができる。
【００１３】
加えて、保持クリップは簡単な構造であり、バンパーフェイスには挿入孔を形成するだけであるので、ライセンスプレートの取付構造を簡易にすることができる。
さらに、欧州等で採用されている縦幅が小さいライセンスプレートを取り付ける場合は、バンパーフェイスに挿入孔を開けないだけで済むので、部品コストや加工コストを抑えた上で外観性の向上を図ることができる。
【００１４】
請求項２に係る発明は、挿入孔の縁に対する掛け止めフックの掛け止め深さが、プレート保持部におけるＪ字の底からライセンスプレートの縁までの隙間よりも大きく設定されている。掛け止めフックが外れる方向（上方向）に保持クリップを移動させても、ライセンスプレートの縁とプレート保持部の底が先に当接するので、掛け止めフックが外れるほど保持クリップは移動しない。結果、ライセンスプレートをボルトで締結している限り、保持クリップがバンパーフェイスから外れるのを防止することができる。
【００１５】
請求項３に係る発明では、プレート保持部は、背面からフェイス面へ向かって突出した仮固定用凸部を有するだけであるので、保持クリップを簡単な構成でバンパーフェイスに仮固定することができる。
【図面の簡単な説明】
【００１６】
【図１】バンパーフェイスの斜視図である。
【図２】ライセンスプレートを取り付けた状態を説明する図である。
【図３】保持クリップの側面図である。
【図４】保持クリップの斜視図である。
【図５】保持クリップの取付を説明する図である。
【図６】ライセンスプレートの取付を説明する図である。
【図７】従来のライセンスプレート取付構造を説明する図である。
【発明を実施するための形態】
【００１７】
本発明の実施の形態を添付図に基づいて以下に説明する。なお、図面は符号の向きに見るものとする。
【実施例１】
【００１８】
本発明の実施例を図面に基づいて説明する。
図１（ａ）は欧州等で採用されている横長のライセンスプレートを取り付ける場合を説明する図である。バンパーフェイス１０は中央に凹部１１を備え、この凹部１１は、傾斜部１２と、この傾斜部１２の奥に設けられている平坦なフェイス面１３と、このフェイス面１３の上部に設けられエンボス加工が施された取付部１４と、からなる。
【００１９】
想像線で示す縦幅が小さいライセンスプレート１５をフェイス面１３にセットし、ボルトによって取付部１４に固定することで、ライセンスプレート１４がバンパーフェイス１０に取り付けられる。ライセンスプレート１５は縦幅が小さいため、上部の２ヵ所を取り付けることで確実に固定することができる。
また、フェイス面１３は、ライセンスプレート１５の下方に露出したクリップがないので、外観性がより向上する。
【００２０】
図１（ｂ）は日本で採用されている縦幅が大きいライセンスプレートを取り付ける場合を説明する図である。バンパーフェイス１０は、（ａ）の場合と同様に凹部を備える。この凹部は、傾斜部１２と、フェイス面１３と、取付部１４と、フェイス面１３の下部に設けられ保持クリップ（詳細後述）を挿入する挿入孔１６と、からなる。
挿入孔１６は、フェイス面１３に穴を開けるだけで形成されるので、加工コストを低減させることができる。
【００２１】
次にライセンスプレートが取り付けられた状態を説明する。
図２に示されるように、フェイス面１３の挿入孔（図１、符号１６）の位置に保持クリップ１７が取り付けられている。想像線で示す縦幅が大きいライセンスプレート２１の縁２２の下側は、保持クリップ１７で保持されている。また、ライセンスプレート２１の上部は、ボルト２３によって取付部１４に固定されている。
ライセンスプレート２１は上下が取り付けられているので、縦幅が大きくても確実にバンパーフェイス１０に固定することができる。
【００２２】
次に保持クリップ１７の形状について説明する。
図３に示されるように、保持クリップ１７は、ライセンスプレート２１の縁２２を保持するプレート保持部２４と、フェイス裏面２５に引っ掛ける掛け止めフック２６とからなり、ポリプロピレンなどの可撓性を有する樹脂材料で形成されている。
なお、材料はポリプロピレンに限定せず、可撓性の材料であれば差し支えない。
【００２３】
プレート保持部２４は、挿入孔１６を塞ぐようにしてフェイス面１３に重ねられて配置される。プレート保持部２４の一部は、ライセンスプレート２１の背面２７側から表面２８側へ折り返されるように側面視略Ｊ字状に形成されており、Ｊ字の先端から内側にライセンスプレート２１を押さえる押さえ部３１が延ばされている。
【００２４】
プレート保持部２４の途中に補強のためのリブ３２が設けられており、このリブ３２はライセンスプレート２１を導き易くするための上部スロープガイド部３３及び下部スロープガイド部３４を有している。
また、押さえ部３１に外力が加えられていない状態における、リブ３２から押さえ部３１の先端までのフェイス面１３に対する垂直方向の距離は、ライセンスプレート２１の板厚よりも小さい。これにより、ライセンスプレート２１を取り付けた状態では、押さえ部３１がライセンスプレート２１を押さえ付けるので、ライセンスプレート２１を確実に保持することができる。
【００２５】
掛け止めフック２６は、プレート保持部２４の背面３５に側面視略Ｌ字状に形成されており、挿入孔１６に挿入して引っ掛けることが可能である。掛け止めフック２６の掛け止め方向は、取付部（図２、符号１４）から離反する方向であり且つプレート保持部２４におけるＪ字の開放方向に対して逆向きである。
【００２６】
掛け止めフック２６は、外側に補強のためのリブ３６が設けられており、内側にフェイス裏面２５に当接するフック側凸部３７が設けられている。掛け止めフック２６に外力が加えられていない状態における、フック側凸部３７からプレート保持部２４の背面３５にある下凸部３８までのフェイス裏面２５に対する垂直な方向の距離Ｔ１は、バンパーフェイス１０の厚さＴ２よりも小さい。これにより、掛け止めフック２６をフック裏面２５に引っ掛けた状態では、フック側凸部３７がフェイス裏面２５を押さえ付けるので、掛け止めフック２６が確実にフェイス裏面２５に引っ掛けられる。
【００２７】
また、プレート保持部２４は、背面３５からフェイス面１３に向かって突出した仮固定用凸部４１を有している。この仮固定用凸部は、挿入孔１６において、掛け止めフック２６が引っ掛けられる縁４２とは反対側の縁４３に、圧入によって仮止めされる。反対側の縁４３に対する仮固定用凸部４１の仮止め力の大きさは、作業者が手でフェイス面１３に対してプレート保持部２４を引張ることにより、仮止め状態が解除される大きさに設定されている。
【００２８】
また、リブ３２の上端Ａは、仮固定用凸部４１の下端Ｂよりも低い位置にある。保持クリップ１７の点Ａより上側は、リブ３２により補強されていないため、比較的曲げ易い。このため、保持クリップ１７の上部を曲げて容易に仮固定用凸部４１を圧入することができる。
【００２９】
図４に示されるように、プレート保持部２４は、縦のリブ３２に交差するように横に延びるリブ４４が備えられている。これらのリブ４４は、掛け止めフック２６の反対側に位置しており、外力が加わる掛け止めフック２６の付け根を補強することができる。また、縦のリブ３２を補強する効果もある。
【００３０】
以上の述べた保持クリップ１７のバンパーフェイス１０への取付けを次に述べる。
図５（ａ）に示されるように、保持クリップ１７の掛け止めフック２６を、矢印（１）のように挿入孔１６に挿入して、フェイス裏面２５に引っ掛ける。プレート保持部２４の上部を矢印（２）のように少し曲げて、仮固定用凸部４１を矢印（３）のように挿入孔１６の反対側の縁４３に圧入する。
【００３１】
すると、図５（ｂ）に示されるように、仮固定用凸部４１が挿入孔１６に仮止めされる。掛け止めフック２６がフェイス裏面２５に引っ掛けられ、仮固定用凸部４１も挿入孔１６に仮止めされるので、保持クリップ１７はバンパーフェイス１０にしっかりと固定される。
【００３２】
以上の述べたライセンスプレート取付構造の作用を次に述べる。
図６（ａ）に示されるように、縦幅が大きいライセンスプレート２１を、矢印（４）のように移動させ、ライセンスプレート２１の縁２２を保持クリップ１４のプレート保持部２４に差し込む。ライセンスプレート２１を、矢印（５）のように移動させ、ボルト穴４５を取付部１４に合わせる。
【００３３】
図６（ｂ）に示されるように、ボルト２３をボルト穴４５に挿入し、取付部１４のフェイス裏面２５に溶接されているナット４６に締め付ける。これにより、ライセンスプレート２１がバンパーフェイス１０に確実に固定される。
ライセンスプレート２１の下部も保持クリップ１７に押さえられているので、ライセンスプレート２１に矢印（７）のように外力が加えられても、ライセンスプレート２１はしっかりと固定された状態を維持することができる。
【００３４】
ここで、挿入孔１６の掛け止めフック２６が引っ掛けられる縁４２に対する掛け止めフック２６の掛け止め深さＬ１は、プレート保持部２４におけるＪ字の底４７からライセンスプレートの縁２２までの隙間Ｌ２よりも大きく設定されている。これにより、掛け止めフック２６が外れる方向（上方向）に保持クリップ１７を移動させても、ライセンスプレート２１の縁２２とプレート保持部２４の底４７が先に当接するので、掛け止めフック２６が外れるほど保持クリップ１７は移動しない。
【００３５】
尚、本実施例では、ライセンスプレートをバンパーフェイスに取り付けたが、これに限定されず、ライセンスプレートをバックドアに取り付ける場合でもよく、自動車にライセンスプレートを取り付ける場合であれば取付場所が異なっても差し支えない。
【産業上の利用可能性】
【００３６】
本発明は、自動車のバンパーフェイスにライセンスプレートを取り付けるライセンスプレートの取付構造に好適である。
【符号の説明】
【００３７】
１０…バンパーフェイス、１３…フェイス面、１５…縦幅が小さいライセンスプレート、１６…挿入孔、１７…保持クリップ、２１…ライセンスプレート、２２…ライセンスプレートの縁、２３…ボルト、２４…プレート保持部、２５…フェイス裏面、２６…掛け止めフック、２７…ライセンスプレートの背面、２８…ライセンスプレートの表面、３５…プレート保持部の背面、４１…仮固定用凸部、４２…掛け止めフックが引っ掛けられる縁、４３…反対側の縁、４７…Ｊ字の底、Ａ…リブの上端、Ｂ…仮固定用凸部の下端、Ｌ１…掛け止め深さ、Ｌ２…隙間。
【図１】
2011084142.tif 000003
【図２】
2011084142.tif 000004
【図３】
2011084142.tif 000005
【図４】
2011084142.tif 000006
【図５】
2011084142.tif 000007
【図６】
2011084142.tif 000008
【図７】
2011084142.tif 000009